(57)【要約】【課題】インパクトレンチのような動力を用いた工具に使用することができ、その結果、作業性に優れ、かつ安全性にも優れた管継手取付取外し用工具を提供する。【解決手段】配管用管継手を配管端部に取り付け又は前記配管用管継手を配管端部から取り外すための管継手取付取外し用工具１であって、矩形状の有底枠体からなり、前記管継手を収容できる本体部２と、該本体部２の底面部３に設けられてインパクトレンチ等の駆動軸に連結可能な駆動軸連結部５とを備えた。【選択図】図１
0003140642.tif 000002
【実用新案登録請求の範囲】
【請求項１】
配管用管継手を配管端部に取り付け又は前記配管用管継手を配管端部から取り外すための管継手取付取外し用工具であって、
矩形状の有底枠体からなり、前記管継手を収容できる本体部と、該本体部の底面部に設けられてインパクトレンチ等の駆動軸に連結可能な駆動軸連結部とを備えたことを特徴とする管継手取付取外し用工具。
【請求項２】
配管用継手がエルボであって、駆動軸連結部は前記エルボを収容したときに該エルボにおける回転側の管軸と駆動軸連結部の中心軸が一致するように設けられていることを特徴とする請求項１に記載の管継手取付取外し用工具。
【請求項３】
本体部にエルボを収容した状態においてエルボの端部が対向する側壁に管継手の内径よりも大きな径を有する開口部を設けたことを特徴とする請求項２に記載の管継手取付取外し用工具。
【請求項４】
本体部における駆動軸連結部が設けられた部位に近い側壁の肉厚を厚く設定してバランスをとるようにしたことを特徴とする請求項２又は３に記載の管継手取付取外し用工具。
【請求項５】
駆動軸連結部にインパクトレンチの駆動軸を連結して回転させたときの振れ防止のために重量バランスを調整するバランサーを本体部に設けたことを特徴とする請求項１〜４のいずれか一項に記載の管継手取付取外し用工具。
【考案の詳細な説明】
【技術分野】
【０００１】
本考案は、例えばエルボやチーズなどの配管継手の取付、取外しに用いる管継手取付取外し用工具に関する。
【背景技術】
【０００２】
給水、ガス等の各種の配管の途中には所望の管路を形成するためにエルボやチーズなどの管継手が設けられる。
このような管継手には、開口端部の外周または内周にねじ部を設けたねじ込み式のものが存在する。このようなねじ込み式の管継手を取付又は取外しする一般的な方法は、パイプレンチを用いて人力によって行なう方法である。
【０００３】
しかしながら、パイプレンチによって行なう方法では、パイプレンチによってある角度回動させたあと、一端パイプレンチを取り外し、再び掛けなおしてさらにある角度回動させるという作業の繰り返しとなる。このような作業の繰り返しでは、パイプレンチの掛けなおしを何度も行なう必要があり、作業効率が悪く、また管継手に傷をつけるという問題がある。
そこで、このようなパイプレンチの掛けなおしを不要にして作業効率を向上させるものとして、以下に示すものが提案されている。
管継手の外周面を抱持するニ股状に形成された抱持部と、操作ハンドルを着脱自在に嵌合する嵌合穴を備えて成る、管継手用レンチ（特許文献１参照）。
特許文献１のものによれば、管継手の外周をしっかりと把持し、把持痕をつけたりすることなく管継手を所望の回転方向に回転させることができるとしている。
【特許文献１】特開２００４−５０３３６号公報
【考案の開示】
【考案が解決しようとする課題】
【０００４】
上記の特許文献１のものは、操作ハンドルの回転を人力で行なうことを前提としている。
そのため、仮に操作ハンドルをインパクトレンチのような動力を用いた工具を用いると以下に示すような問題が生ずる。
例えば、管継手を取り外す場合において、管継手が外れたときに、回転力によって管継手が投げ出されてしまい危険である。このため、結局、特許文献１に記載のものをインパクトレンチなどの動力を用いたものに使用することができない。
【０００５】
本考案の解決しようとする課題は、インパクトレンチのような動力を用いた工具に使用することができ、その結果、作業性に優れ、かつ安全性にも優れた管継手取付取外し用工具を提供することを目的としている。
【課題を解決するための手段】
【０００６】
（１）本発明に係る管継手取付取外し用工具は、配管用管継手を配管端部に取り付け又は前記配管用管継手を配管端部から取り外すための管継手取付取外し用工具であって、
矩形状の有底枠体からなり、前記管継手を収容できる本体部と、該本体部の底面部に設けられてインパクトレンチ等の駆動軸に連結可能な駆動軸連結部とを備えたことを特徴とするものである。
【０００７】
（２）また、上記（１）に記載のものにおいて、配管用継手がエルボであって、駆動軸連結部は前記エルボを収容したときに該エルボにおける回転側の管軸と駆動軸連結部の中心軸が一致するように設けられていることを特徴とするものである。
【０００８】
（３）また、上記（２）に記載のものにおいて、本体部にエルボを収容した状態においてエルボの端部が対向する側壁に管継手の内径よりも大きな径を有する開口部を設けたことを特徴とするものである。
上記のような開口部を設けることにより、この開口部からエルボのねじ部に螺合するねじ部を有するボルトなどをねじ込み、エルボが本体部から外れないようにすることが可能である。このようにすれば、管継手を取り外す際に管継手が投げ出されることがないので、安全である。それ故に、取外しの際の回転の速さを気にすることなく作業ができるので、作業性が向上する。
【０００９】
（４）また、上記（２）又は（３）に記載のものにおいて、本体部における駆動軸連結部が設けられた部位に近い側壁の肉厚を厚く設定してバランスをとるようにしたことを特徴とするものである。
駆動軸連結部が設けられた部位に近い側壁の肉厚を厚く設定したことにより、本体部の重量バランスを調整でき、管継手を取り外した際に偏芯に起因する回転時の振れを防止できるので、作業の安全性と作業効率の向上を図ることができる。
【００１０】
（５）また、上記（１）〜（４）に記載のものにおいて、駆動軸連結部にインパクトレンチの駆動軸を連結して回転させたときの振れ防止のために重量バランスを調整するバランサーを本体部に設けたことを特徴とするものである。
バランサーを設けることにより、管継手を取り外した際に偏芯に起因する回転時の振れを防止でき、これによっても作業の安全性と作業効率の向上を図ることができる。
【考案の効果】
【００１１】
本考案に係る管継手取付取外し用工具によれば、インパクトレンチ等による回転駆動が可能になり、作業性が向上する。また、本体の形状を有底枠体にしたので、管継手の取外しの際にも取り外された管継手が投げ出されにくく安全である。
【考案を実施するための最良の形態】
【００１２】
図１〜図３は本考案の一実施の形態に係る管継手取付取外し用工具の斜視図である。以下、図１〜図３に基づいて本実施の形態を説明する。
本実施の形態に係る管継手取付取外し用工具１は、管継手としてエルボを対象としたものである。そして、本実施の形態に係る管継手取付取外し用工具１は、図１〜図３に示されるように、有底枠体状の本体部２と、この本体部２の底面部３に設けられてインパクトレンチの駆動軸に連結可能な駆動軸連結部５とを備えている。
以下、本体部２と駆動軸連結部５について更に詳細に説明する。
【００１３】
＜本体部＞
本体部２は、外形が直方体状の有底枠体からなる。つまり、四つの側壁部７ａ、７ｂ、７ｃ、７ｄと一つの底面部３から構成されたボックス状をしており、このボックス状の開口部９側からエルボを挿入することでボックス内にエルボを収容できるようになっている。具体的な収容方法は後述する。
側壁部のうちの一つの側壁部７ａには、円形の円開口部１１が設けられている。この円開口部１１の直径は、取り外しの対象となるエルボの内径よりも大きく設定されている。
この円開口部１１を設けた理由は以下の通りである。エルボの一端を円開口部１１に向けて本体部２内に収容した状態で、例えばボルトのような部材を円開口部１１の外側からエルボにねじ込むようにして取り付ける。このようにすれば、エルボが本体部２にボルトによって連結されるので、エルボを配管から取り外す際において、エルボが配管から外れた状態で高速回転したとしても、エルボが本体部２から外れて飛び出すことがなく安全である。
【００１４】
駆動軸連結部５は、図１からわかるように、底面部３に偏芯して設けられている。そのため、４つの側壁部７ａ、７ｂ、７ｃ、７ｄが同一の態様であれば、この偏芯に起因して重量バランスが取れないため、管継手取付取外し用工具１をインパクトレンチに取り付けた状態で回転すると、重量の大きい方に遠心力が大きく作用し、振れ回りが発生する。このため、インパクトレンチを持つ作業者が振り回され、特に大型のエルボの取り外し作業においては振り回される度合いが大きくなり、危険である。
しかし、本実施の形態においては、駆動軸連結部５を設けた部位から遠い側壁部７ａに円開口部１１を設けているので、この側壁部７ａの重量が軽量化されている。このため、偏芯に起因して振り回される度合いを小さくする効果がある。さらには、駆動軸連結部５を設けた部位に近い側壁部７ｄ（図２参照）の肉厚を厚くしてこちら側の重量を大きくすることで、偏芯による振り回される度合いをさらに小さくすることができる。
さらに、より好ましくは、駆動軸連結部５を中心にして、上下左右の重量を均等にするのがよい。
【００１５】
なお、重量のバランスをとるために、駆動軸連結部５を設けた部位に近い側壁部７ｄの外側にウエイトを取り付けるようにしてもよい。そのために、各種の重量のウエイトを着脱可能に取り付けられるようにすれば、エルボを収容した状態で最も振れの少ないように調整できて便利である。
【００１６】
＜駆動軸連結部＞
駆動軸連結部５は、本体部２の底面部３に外方に出っ張るように設けられている。本実施の形態においては、インパクトレンチの駆動軸を挿入して取り付けられるように角穴１３を設けてなるものである（図１、図３参照）。そして、駆動軸が外れるのを防止するためのピン１５が挿入可能になっており、駆動軸を角穴１３に挿入後に駆動軸を貫通するようにピン１５を挿入し、挿入したピン１５が外れるのを防止するために、ピン１５の両端部をＯリング１７で押えるようにしている。
【００１７】
図４〜図６は本実施の形態に係る管継手取付取外し用工具１の使用方法の説明図である。以下、図４〜図６に基づいて使用方法を説明する。
以下に示す使用方法では、図４に示すように、エルボ１９が枝管２１に取り付けられている場合に、これを外す場合を例に挙げて説明する。
図４に示すように、インパクトレンチ２３の駆動軸を駆動軸連結部５に取り付けることによって、管継手取付取外し用工具１をインパクトレンチ２３に取り付ける。そして、エルボ１９が本体部２に挿入可能なように姿勢を調整して本体部２をエルボ１９に近づけ、図５に示すように、エルボ１９を本体部２内に収容する。このとき、エルボ１９の回転側の管軸とインパクトレンチ２３の駆動軸の軸線が一致する。また、このとき円開口部１１からはエルボ１９の開口端部が見える状態になる。そこで、この円開口部１１の外側から図６に示すようにボルト２５をねじ込み本体部２とエルボ１９を、ボルト２５を介して連結する。なお、図６では図４、図５に示したエルボ１９が取り付けられている枝管２１側は省略されている。
【００１８】
この状態でインパクトレンチ２３を作動させてエルボ１９に衝撃的な回転力を与えることによってエルボ１９を回転させて取り外す。エルボ１９が枝管２１から取り外された状態では、図６に示すように、エルボ１９が本体部２にボルト２５によって連結されているので、この状態でインパクトレンチ２３によって高速回転したとしてもエルボ１９が本体部２から飛び出して投げ出されることがなく安全である。このことは、エルボ取外しに際して、エルボ１９が外れる直前には回転力を弱めるという調整が必ずしも必要なくなり、それ故に作業性が向上するという効果がある。
【００１９】
以上のように、本実施の形態に係る管継手取付取外し用工具１おいては、インパクトレンチ２３による作動が可能となったことから、手作業による場合に比較して作業効率が格段に向上する。
また、本実施の形態の管継手取付取外し用工具１はエルボ１９を収容できるボックス型に形成したので、エルボ１９が取り外された際にエルボ１９が投げ出されずに安全である。
【００２０】
なお、上記の実施の形態においては、エルボ１９を取り外す際の作業について説明したが、エルボを取り付ける作業においてはインパクトレンチ２３の回転方向を逆にすればよい。この際には、円開口部１１からボルト２５を取り付ける必要はない。
また、上記の実施の形態においては、管継手としてエルボ１９を例に挙げて説明したが、本発明に係る管継手取付取外し用工具１は、取付取外しの対象とする管継手はエルボに限られるものではなく、チーズなどを対象とすることもできる。その場合には、本体部２の形状を管継手が収容できるような形状に変更すればよい。
また、バルブなどをインパクトレンチ２３で取付、取外しするには、例えば図７に示すような有底円筒形の本体部２７を形成し、この本体部２７にバルブを収容して回転するようにすればよい。
【図面の簡単な説明】
【００２１】
【図１】本考案の一実施の形態に係る管継手取付取外し用工具の斜視図である。
【図２】本考案の一実施の形態に係る管継手取付取外し用工具の斜視図である。
【図３】本考案の一実施の形態に係る管継手取付取外し用工具の斜視図である。
【図４】本考案の一実施の形態に係る管継手取付取外し用工具の使用方法の説明図である。
【図５】本考案の一実施の形態に係る管継手取付取外し用工具の使用方法の説明図である。
【図６】本考案の一実施の形態に係る管継手取付取外し用工具の使用方法の説明図である。
【図７】本考案の一実施の形態に係る管継手取付取外し用工具の変形例を示す斜視図である。
【符号の説明】
【００２２】
１  管継手取付取外し用工具
３  底面部
５  駆動軸連結部
７ａ、７ｂ、７ｃ、７ｄ  側壁部
９  開口部
１１  円開口部
１３  角穴
１５  ピン
１７  Ｏリング
１９  エルボ
２１  枝管
２３  インパクトレンチ
２５  ボルト
２７  本体部
【図１】
0003140642.tif 000003
【図２】
0003140642.tif 000004
【図３】
0003140642.tif 000005
【図４】
0003140642.tif 000006
【図５】
0003140642.tif 000007
【図６】
0003140642.tif 000008
【図７】
0003140642.tif 000009